(57)【要約】      （修正有）【課題】水処理機器のフィルターの目詰まり解消。【解決手段】目詰まりを起こす原因のフィルターに止留した細菌等の微粒子を逆洗して、フィルターから除去し、器外へ排出し、フィルターを再生し、目詰まり故にフィルター交換を余儀なくされている使用者の不便を解消すると同時に、環境面でも破棄物を減少させることが出来る逆洗装置付水栓を提供する。【選択図】図８
2006233739.tif 000002
【特許請求の範囲】
【請求項１】
給水管と水処理器（以下浄水器と称す）とに接続して、水道管より供給される水および浄水器より受水する水の流れを切り替える弁装置を内臓した水栓であって、給水管よりの水を流入する水管、浄水器ＩＮ側へ連通する水管、浄水器ＯＵＴ側へ連通する水管および吐水口を有し且つ、浄水吐水、逆洗水吐水、原水吐水、止水と水の流れを切り替え操作するハンドルを具備した水栓本体内に、前記ハンドルとハメコミ結合したテコ、テコ納め、テコ弁ジョイント、弁、弁座を内臓した弁箱と、この弁箱と嵌合した弁箱底蓋を固定収納し、前記弁箱の弁箱底蓋と固定設置した弁座と弁箱底蓋には、前記水栓本体の、給水管よりの水を受水する水管と連通する孔、浄水器ＩＮ側に連通する水管と連通する孔、浄水器ＯＵＴ側に連通する水管と連通する孔、および吐水口へ連通する出水孔を有し、前記弁箱内の弁は、弁座の給水管に連通した孔より受水した水を、前記弁座の浄水器ＩＮ側に連通する孔へ、浄水器ＯＵＴ側へ連通する孔および吐水口に連通する出水孔へ流通させる為の、弁下部を削取し、弁座を床部として成る流通室、浄水器ＯＵＴ側と連通した前記弁座の孔より受水した浄水を弁座の出水孔へ流通させる流通室、浄水器ＩＮ側に連通する弁座の孔より受水した逆洗水を弁座の出水孔へ流通させる流通室を有し、前記弁箱内のテコ弁ジョイントとテコ納めでテコ軸棒に支えられたテコの先端に嵌合した前記ハンドルのツマミ部の上下操作により前記弁は、前記テコ軸棒を軸として水平移動し、前記弁座の給水管に連通する孔を開閉し、ハンドルのツマミ部の左右回転操作により前記弁の流通室は回動し、前記固定弁座の給水管に連通する孔より流入する水を、弁座の浄水器ＩＮ側に連通する孔に送水して浄水器へ順方向に流動させ、弁座の浄水器ＯＵＴ側へ連通する孔より浄水を受水して、弁座の吐水口へ連通する出水孔へ流通させ、浄水を吐水させる浄水位置と、前記弁座の浄水器ＯＵＴ側へ連通する孔へ送水して浄水器へ逆方向に流動させ、弁座の浄水器ＩＮ側へ連通する孔より逆洗水を受水して弁座の吐水口へ連通する出水孔へ流通させ、逆洗水を吐水させる逆洗位置と、直接吐水口へ連通する出水孔へ流通させて、原水を吐水させる原水位置とに夫々分散配置されていることを特徴とする逆洗切り替え弁装置付水栓。
【請求項２】
湯水給水栓よりの受水管、純水器よりの受水管、浄水、純水、専用の吐水口を請求項１記載の水栓に付加し、湯水逆洗が出来、湯水、常温水、湯水混合水、浄水、純水を吐水させる請求項１記載の逆洗切り替え弁装置付水栓。
【発明の詳細な説明】
【技術分野】
【０００１】  本発明は、給水管より分岐水栓にて供給される水および水処理器より供給される水の流れを切り替える弁装置を有した給水栓に関する。〔背景技術〕【０００２】  現在このような水処理器の逆洗が可能な切り替え弁装置付水栓は、市場には見られない。〔発明の開示〕〔発明が解決しようとする課題〕【０００３】  水処理材の能力再生、それにより処理能力総流量の向上、フィルター交換時期の延長化、処理器使用期間中の処理器内の細菌流出及び減少化における衛生性向上である。  人々が環境や健康等を考慮するにおよんで、清澄で安全な水への要求は高まり、浄水器や逆侵透膜純水器等の需要は高まる一方であるが、片やそれらの器機を購入使用する使用者の不便さも顕示されて来ている。【０００４】  その最多な問題は器機内のフィルターの目詰まり問題である。目詰まりによりフィルター交換は余儀なくされるが、そのフィルター交換が又大煩瑣な作業である。  特にシンクの下部に設置した器具のフィルター交換は、消費者には無理な事で業者に依頼することになる。【０００５】  浄水等の水処理器は小型であればろ過総流量はより少なく、フィルターの交換頻度数はより高く、大型であればフィルター交換頻度数はより少なくなるが、大量ろ過材使用は細菌の温床となり、そこで細菌ろ過まで精密度を上げたフィルターで浄水を得ればより多くの細菌が層となってフィルター内に留積することになる。【０００６】  ろ過はふるい目の作用であり、ふるい目をより細小にすれば細菌ろ過も可能には間違いないことであるが、細菌ろ過とは細菌を消去するものではなく、止留することであるが故に、前述の如くろ過材に細菌層となって留積してゆき、その細菌はやがて一部死滅し、死滅した細菌は分解して一部は生菌の栄養分となり、一部はやがてろ過材のふるい目を通過して浄水に混合して吐出して来る。【０００７】  又留積した細菌はふるい目を詰まらせて流量低下の原因となる。目詰まりを起こした細菌ろ過膜を電子顕微鏡で看ると、細菌ろ過膜表面は細菌とその死骸及び細菌郡の分泌物の層である。  細菌までもろ過する浄水器は細菌は止め留積させるものの、ろ過膜を目詰らせ流量低下を招聘し、大型で長期間使用可能な浄水器内はやがて腐敗物の留積場となる。〔課題を解決するための手段〕【０００８】  水処理器に水を逆方向より流通して、器内の留積物を器外へ排出して、処理流量低下および処理器の目詰まりを解消する、消費者が手軽で簡単に逆洗することの出来る装置を安価に提供することである。【０００９】  給水管と水処置器（以下浄水器と称す）とに接続して、水道管より供給される水および浄水器より受水する水の流れを切り替える弁装置を内臓した水栓であって、給水管よりの水を流入する水管、浄水器ＩＮ側へ連通する水管、浄水器ＯＵＴ側へ連通する水管および吐水口を有し且つ、浄水吐水、逆洗水吐水、原水吐水、止水と水の流れを切り替え操作するハンドルを具備した水栓本体内に、前記ハンドルとハメコミ結合したテコ、テコ納め、テコ弁ジョイント、弁、弁座を内臓した弁箱と、この弁箱と嵌合した弁箱底蓋を固定収納し、前記弁箱の弁箱底蓋と固定設置した弁座と弁箱底蓋には、前記水栓本体の、給水管よりの水を受水する水管と連通する孔、浄水器ＩＮ側に連通する水管と連通する孔、浄水器ＯＵＴ側に連通する水管と連通する孔、および吐水口へ連通する出水孔を有し、前記弁箱内の弁は、弁座の給水管に連通した孔より受水した水を、前記弁座の浄水器ＩＮ側に連通する孔へ、浄水器ＯＵＴ側へ連通する孔および吐水口に連通する出水孔へ流通させる為の、弁下部を削取し、弁座を床部として成る流通室、浄水器ＯＵＴ側と連通した前記弁座の孔より受水した浄水を弁座の出水孔へ流通させる流通室、浄水器ＩＮ側に連通する弁座の孔より受水した逆洗水を弁座の出水孔へ流通させる流通室を有し、前記弁箱内のテコ弁ジョイントとテコ納めでテコ軸棒に支えられたテコの先端の嵌合した前記ハンドルのツマミ部の上下操作により前記弁は、前記テコ軸棒を軸として水平移動し、前記弁座の給水管に連通する孔を開閉し、ハンドルのツマミ部の左右回動操作により前記弁の流通室は回動し、前記固定弁座の給水管に連通する孔より流入する水を、弁座の浄水器ＩＮ側に連通する孔に送水して浄水器へ順方向に流動させ、弁座の浄水器ＯＵＴ側へ連通する孔より浄水を受水して、弁座の吐水口へ連通する出水孔へ流通させ、浄水を吐水させる浄水位置と、前記弁座の浄水器ＯＵＴ側へ連通する孔へ送水して浄水器へ逆方向に流動させ、弁座の浄水器ＩＮ側へ連通する孔より逆洗水を受水して弁座の吐水口へ連通する出水孔へ流通させ、逆洗水を吐水させる逆洗位置と、直接吐水口へ連通する出水孔へ流通させて、原水を吐水させる原水位置とに夫々分散配置されていることを特徴とする逆洗切り替え弁装置付水栓。〔発明の効果〕【００１０】  小型浄水器でも又大型の浄水器でも逆洗することにより、流量低下を数倍から流量低下無しまでにフィルターの目詰まりを解消出来、総ろ過能力を飛躍的に向上させることが出来、尚に、この逆洗時６０℃以上の湯で逆洗すれば、器内の逆洗効果も向上し、加えて浄水器内の消毒も可能となり、細菌衛生面でも常時清潔なフィルターで浄水を得ることが出来る。【００１１】  逆侵透膜処理器の前処理に用いられる浄水器の逆洗にも用いられることが可能であり、ＲＯ膜のライフも飛躍的に向上させることが出来る。ＲＯ膜の目詰まりは細菌による目詰まりが多い。【００１２】  従来の水栓よりコストを増加させることなく、尚資源も増量使用することなく、手軽な操作で逆洗が出来る給水栓を安価に提供することを目的としたものである。〔発明を実施するための最良の形態〕〔実施例１〕【００１３】  以下本発明の第一実施例を図１ないし図２７を参照して説明する。なお図上に示した符合は、同一部分には同一符合を付して説明する。【００１４】  図１は水栓の正面図、図２は側面図、図３は平面図、図４は底面図、図５は水栓本体内に収納される弁箱７と弁箱底蓋１１およびテコ２２の見える弁箱セットの外見図、図６は図５Ａ−Ａ線に沿う断面図、図７は図５の弁箱セットの分解図、図８は図３Ｂ−Ｂ線に沿う断面図、図９はハンドルの回動操作を説明する図、図１０はハンドルの上下操作を説明する図、図１１はハンドルの立体図、図１２は弁９と弁座１０のみを表わす説明用図、図１３は弁９と弁座１０の平面図、図１４は図１３におけるＣ−Ｃ線に沿う断面図、図１５は弁座１０の平面図、図１６は弁９のＤ−Ｄ��に沿う断面図、図１７は原水吐水位置での弁９と弁座１０とを組み合わせた説明用図、図１８は浄水位置での弁９と弁座１０とを組み合わせた説明用図、図１９は逆洗位置での弁９と弁座１０の説明用図、図２０は外ネジナットと半円蓋の中空部を示す立体図、図２１は浄水位置での水の流れを示す説明用図、図２２は逆洗位置での水の流れを示す説明用図、図２３は原水位置での止水を示す図、図２４は浄水位置での止水を示す図、図２５は逆洗位置での止水を示す図、図２６は、給水栓に連通する水管Ｃ、浄水器ＩＮ側に連通する水管Ｉ、浄水器ＯＵＴ側に連通する水管Ｏ、および管上部弁箱底蓋固定座１２、管固定座４０を示す部品の正面図、図２７は図２６で示す部品の立体図である。  図８を中心的に参照して水栓の構成と水の流れを説明する。水管は説明を簡単にする為に並列し、水の流れを明示する為に一部を粗大に抽象化してある。  水栓本体１３は、流し台１５に取付する本体座１４と螺合して本体を流し台１５に設置し、止めゴム１６、ワッシャー１７、固定金具１８を中にして、外ネジ棒３１を管固定座４０に螺合した後に固定ナット１９にてしめ込んで水栓本体１３を固定する。【００１５】  管固定座４０および同じく管上部弁箱底蓋固定座１２は各流通管と接着されており、管上部弁箱底蓋固定座１２は本体１３の固定凸部１３−２により固定している。  管上部弁箱底蓋固定座１２の上部と弁箱底蓋１１とは図示しないシール材を挾んで弁箱底座固定足３６が吐水流通部３６−１を形成して、固着されている。  本体１３内の管上部弁箱底蓋固定座１２の上部に、後述する弁箱７と組み合わされた弁箱底蓋１１をのせ、弁箱７の上部は、本体１３と螺合する外ネジナット５によりしめつけられて、弁箱７と弁箱底蓋１１は不動となる。  前述の外ネジナット５は、図２０において示す如く内側を角形とした空洞のものでネジ部の１半を弁箱７の固定しめ付けに用い、１半は、ハンドル１と本体１３の間隙をカバーする半円で中洞の半円蓋３の内ネジと螺合する。  図２２において、半円蓋３と外ネジナット５を立体図で示す。【００１６】  外ネジナット５および半円蓋３の中空部より突出したテコ２２の角状頭部３３はハンドル１のテコ角状嵌合部１−３と嵌合し、さらにその嵌合部にはビス２により離脱不能にビス付けされている。【００１７】  弁箱７の頭部３４にはテコ納め６とテコ２２および両者を連結するテコ軸棒４が収納され、前述のテコ２２の下部と嵌合してテコ弁ジョイント８が設置され、このテコ弁ジョイント８は弁９と離脱不能に固定嵌合しており、ハンドル１による操作により、テコの回動と同時に弁９は回動し、テコの前後運動と同時に弁９は前後に移動する。【００１８】  前述した弁９の下に密着して弁座１０が設置され、さらにその下部に、弁箱７と管上部弁箱底蓋固定座１２とに固着する弁箱底蓋１１が弁箱底座固定足３６により固定設置されているが、弁箱底座固定足３６と図示しないシール材を挾んで固着する水管と弁箱底座固定足３６以外の空間は、吐水流通部３６−１となり、この吐水流通部３６−１は吐水口２１に連通している。  前述の管上部弁箱底蓋固定座１２内の給水栓と連通する水管Ｃの上部、浄水器ＩＮに連通する水管Ｉの上部、浄水器ＯＵＴ側に���通する水管Ｏの上部の弁箱底蓋１１および弁座１０にはそれぞれ上記水管の同位置に連通する孔が設けられており、なお弁箱底蓋１１および弁座１０には水栓本体１３の吐水管１３−１に連通した吐水流通部３６−１に出水する孔ｄが別途設けられている。【００１９】  前述した弁９には、図１４に示す如く、給水管Ｃよりの水を、弁座１０を床部とした浄水器ＩＮ側に流通させる流通室３０、浄水器ＯＵＴ側に流通させる流通室３０、吐水管１３−１に流通する流通室３０を設けてある。【００２０】  この弁９は、テコ２２により能動されて受動し、水の流れを切り替えるものであるが、以下この弁９の流通室３０の作動と弁座１０の固定各孔を図１７及至図１９の説明用図を以って、原水吐水、浄水吐水、逆洗水吐水の水の流れ等を説明する。  図１４は、図１３Ｃ−Ｃ線に沿う弁９と弁座１０の断面図であり、この時水は矢印で示す如く、給水管Ｃに連通する孔ｃより入水し、浄水器ＩＮに連通する水管Ｉに連通する孔ｉより出水している。  図１５は弁座１０の平面図であり、図１６は弁９の平面図であるが、これらの図では夫々、弁座１０の孔のみと弁９の流通室３０のみを表わし、弁９および弁座１０の外周にある他の嵌合部等は削除してある。【００２１】  図１７及至図１８は図１５と図１６を組み合わせた平面図であり、弁座１０の各孔には図上孔内に符合を付してあり、弁９の流通室３０は平面上では観視出来ないので図１４のＤ−Ｄ線上に沿う断面図を用い、ハンドルのツマミ１−１はその回動を表わす為に具象的に示す。  図上における弁座１０の各符号についてまとめて前述しておく。ｃは給水管に連通する孔、ｉは浄水器ＩＮ側に連通する孔、ｏは浄水器ＯＵＴ側に連通する孔、ｄは水栓本体１３の吐水管１３−１に連通する吐水流通部３６−１に出水する孔である。【００２２】  図１７を参照して原水吐水位置を説明する。弁座１０の給水管に連通した孔Ｃより給水された水が、弁９の流通室３０−１を流通して弁座１０の本体吐水管１３−１に連通する孔ｄに出水することを表わしている。この位置では浄水器ＩＮ側に連通する弁座１０の孔ｉおよび孔ｄは流通室上にあるが、源水である弁座１０の給水管に連通した弁座１０の孔ｃとは弁９により遮断されているので水の流通はない。矢印は水の流れを現わす。【００２３】  図１８を参照して、浄水吐水位置での弁９の回動と、水の流れを矢印で示して説明する。ハンドル１が図の位置に来た時には弁９は図の如く回動した位置にあり、給水管Ｃに連通した弁座１０の孔ｃより入水した水は浄水器ＩＮ側に連通した弁座孔ｉへ連通室３０−１を経て出水され、浄水器２５を経て浄化され、浄水器ＯＵＴ側へ連通する弁座孔ｏより浄水を受水し、吐水流通部３６−１へ連通する弁座孔ｄより、弁９の流通室３０−３を経て出水し、吐水管１３−１より吐水口２１に至り吐水する浄水位置である。  図１９を参照して逆洗位置での弁９の回動を説明する。水の流れは矢印で表わす。ハンドル１が図の位置に回動された時には、弁座１０の給水管Ｃより入水した水は弁９の連通室３０−１を経て弁座孔ｏより出水し、浄水器を逆方向に流れて浄水器を逆洗し、弁座孔ｉへ連通する水管Ｉを経て出水し、連通室３０−２を経て弁座孔ｄへ出水し、弁座孔���より吐水流通部３６−１へ流入し、吐水口２１より吐水する逆洗位置である。【００２４】  図８は原水位置、図２１は浄水位置、図２２は逆洗位置での水の流れを示す説明用図であり、矢印は水の流れを示す為に各水管を並列し、尚一部粗太に具象してある。  符号２７は給水分岐栓、２３はホース等水管である。  図２３は原水位置、図２４は浄水位置、図２５は逆洗位置におけるハンドルツマミ１−１を下におろした操作により弁９を移動させ、原水給水管に連通する入水孔ｃを閉口し、夫々の位置での止水を示す。【００２５】  図２８は弁箱７に収納される複数の部品と弁箱底蓋１１の夫々の水管との接続口３９の位置を示す立体図である。  図２９は図２８の底面図、図３０は図２８の正面図であり、弁９は移動して止水位置にある。  管上部弁箱底蓋固定座１２と、弁９に至るまでの弁箱底蓋１１と弁座１０を貫通する夫々の孔接続にも、Ｏリング等シール材Ｓが用いられている。  弁箱底座固定足３６及び弁箱底蓋１１の各孔管壁３８と管上部弁箱底蓋固定座１２とのスペースが吐水流通部３６−１を形成する。  管上部弁箱底蓋固定座１２と弁箱底蓋１１のＯリング等シール剤Ｓは、吐水流通部３６−１の水を漏水なく吐水口２１より吐水させる。【００２６】  水流を矢印にて示す為に図８図２１および図２２は水管を並列に示して説明したが、各水管と連通する弁座１０の各孔の位置は図１５に示した弁座１０に示す位置である。〔実施例２〕【００２７】  以下本発明の第２実施例を第１実施例に用いた図１２及至図１４と、図３１及至図５１を参照して説明する。第１実施例で用いられた同じ部品や同一様役割りを為すものには同じ符号をつけて説明する。尚図上の矢印は水の流方向を示している。  図３１は正面図、図３２は平面図、図３３は右側面図、図３４は底面図、図３５は図３２Ｆ−Ｆ線上に沿う説明用断面図であるが、下部に浄水器２５、常温給水分岐栓２７、湯水給水管２８、ホース等水管２３を示す図を入れ矢印で水の流れを示す。  図３６は常温水吐水、図３７は浄水吐水、図３８は湯温水吐水、図３９は湯温逆洗水吐水を矢印で示す図である。【００２８】  本第２実施例の弁箱７に収納される部品は第１実施例と同一であるが、弁９の流通室３０の位置および弁座１０の孔数及び孔の位置は異なる。【００２９】  水栓本体１３の構成は第１実施例と同様のところの説明は省略し、第１実施例と異なる個所の説明とする。【００３０】  原水供給栓からの受水管Ｃに加えて湯水供給栓からの湯水受水管Ｈと２つの受水管となる。【００３１】  浄水専用の吐水管Ｐを設け、原水と逆洗水の吐水口２１と分離してある。【００３２】  図４１は弁箱７の内部に収納された弁９−２の連通室３０であり、連通室３０−４と連通室３０−５の２つの位置を示す。【００３３】  図１２および図１３は第１実施例で説明用に示した図であり、弁９と弁座１０の２部品の組み合わせた図であり、図１２はその正面図、図１３は平面図であり、図１４は図１３におけるＣ−Ｃ線に沿う断面図である。【００３４】  図４０は弁座１０−２で、弁箱７内部の弁９−２に密着する弁座１０−２と、この弁座１０−２と固着する弁箱底蓋１１−２の貫通孔は、常温給水管に連通する水管Ｃと連通する弁座孔ｃ、湯��給水管に連通する水管Ｈと連通する弁座孔ｈ、浄水器ＩＮ側に連通する水管Ｉと連通する弁座孔ｉ、浄水器ＯＵＴ側に連通する水管Ｏと連通する弁座孔ｏ、吐水管１３−１と連通する弁座孔ｄ及びｄ−２、浄水吐水口に連通する浄水出水管Ｐと連通する弁座孔ｐ、と七個の孔となる。  図４２は、湯水混合水吐水位置での弁９−２と不動の弁座１０−２およびハンドルツマミ１−１の位置である。常温給水管に連通した弁座孔ｃと湯水給水管に連通した弁座孔ｈより受水し、弁９−２の連通室３０−５を流通して、出水孔ｄより出水し吐水口２１に連通する吐水流通部３６−１より出水する。図３５に矢印で水の流れを示す。  図４３は、常温水吐水位置であり、弁９−２および不動の弁座１０−２およびハンドルツマミ１−１の位置である。この時弁座１０−２の浄水出水孔ｐは弁９−２の連通室３０−４中に有るが水の流通はない。図３６に水の流れを矢印で示す。  図４４は浄水吐水位置であり、弁９−２および不動の弁座１０−２およびハンドルツマミ１−１の位置であり、常温水管Ｃに連通した弁座１０−２の弁座孔ｃより常温水を受水し、弁９−２の連通室３０−５を流経して浄水器ＩＮ側に連通する弁座孔ｉより浄水器ＩＮに至り、浄水器内を順方向に流経して浄水化されて浄水器ＯＵＴより出水し、連通した弁座孔ｏより、弁９−２の連通室３０−４を流経して弁座孔ｐより浄水吐水口Ｐ３に連通した浄水出水管Ｐへ出水する。図３７に水の流れを矢印で示す。  図４５は、湯水吐水位置での弁９−２および不動の弁座１０−２およびハンドルツマミ１−１の位置であり、熱湯水管Ｈに連通する弁座孔ｈより受水して弁９−２の連通室３０−５を流経して弁座孔ｄより出水し、吐水口２１に連通する吐水流通部３６−１へ出水する。  この時吐水流通部３６−１に連通する弁座孔ｄ−２は、弁９−２の流通室３０−４の中にあるが水の流通はない。水の流経を図３８に示す。  図４６は湯水逆洗位置であり、湯水給水管と連通した弁座孔ｈより弁９−２の連通室３０−５を流通して浄水器ＯＵＴ側に連通する水管に連通する弁座孔ｏより浄水器にＯＵＴ側より逆方向に流入し、浄水器を逆洗し、浄水器ＩＮ側より逆洗水を出水し、浄水器ＩＮ側に連通する水管Ｉより弁座孔ｉに至り、弁９−２の連通室３０−４を流通して、吐水口２１に連通する吐水流通部３６−１に連通する弁座孔ｄ−２より出水する。水の流経を図３９に示す。  図４７は湯水混合吐水位置、図４８は常温水吐水位置、図４９は浄水吐水位置、図５０は湯水吐水位置、図５１は逆洗水吐水位置における弁９−２の移動により、夫々の位置での止水を示す図である。〔実施例３〕【００３５】  第３実施例として、逆浸透膜純水器３１からの純水を受水および出水する実施例を図５５及至図６７、図９８及至図１００を参照して説明する。【００３６】  図５５は正面図、図５６は平面図、図５７は右側面図、図５８は底面図、図５９は弁座１０−３の平面図、図６０は弁９−３の平面図、図６１は弁９−３と弁座１０−３の組み合わせた平面図であり、ハンドルツマミ１−１がそのハンドル位置を示す為に具象的に示してある。  図５９は弁座１０−３には、純水器の貯水圧力タンク２９より分岐管３４に連通する水管Ｒに連通して入水する弁座孔ｒと、後述する連通路３０−６に流通し、純水出水管Ｍに連通する弁座孔ｍが前第２実施例に示した弁座各孔に上述ｒとｍを増設した図である。  図６０は前第２実施例に示した弁９−２に連通路３０−６を増設した図であり、図９８図９９および図１００は連通路３０−６を示す図である。【００３７】  図６１は純水器からの取水管Ｒと純水吐水管Ｍを、第２実施例に示した図に付加して示し、純水採水時で水の流れを矢印にて示し、止水は図６２に示す。【００３８】  この純水採水位置での弁９−３の連通路３０−６を図６０に示し、図５９は弁座１０−３の各孔を示す。【００３９】  この第３実施例におｋる弁９−３と弁座１０−３は第２実施例における逆洗位置、湯水位置、湯水混合位置、常温水位置、浄水位置と同一であり、第２実施例へ１段位置を増設した図であり、純水器の給水タンクに連通した取水管Ｒと連通した弁座孔ｒは弁９−３に設けられた連通路３０−６を通水して、純水吐水管Ｍに連通する弁座１０−３の純水出水孔ｍより出水し、純水吐水パイプＭ２を流通して純水吐水口Ｍ３にて吐水させるハンドルツマミ１−１の位置を純水採水位置とした６段切り替え弁装置付水栓である。【００４０】  図６１は図５９の弁座１０−３上に図６０の弁９−３を組み合わせた平面図であり、ハンドルツマミ１−１は具象的にその位置を示してある。  前述した図６１のハンドルツマミ１−１の位置は第２実施例の図４４に示した浄水位置より一段右上に回転させた位置で、純水位置であり、純水器３１の貯水タンク２９に分岐管３４に連通した純水給水管Ｒより弁座１０−３の弁座孔ｒより入水し、弁９−３の連通路３０−６を経て弁座孔ｍより純水吐水管Ｍに出水し、純水吐水パイプＭ２を経て純水口Ｍ３より出水する。  図６２はこの位置でのハンドルツマミ１−１を下げた時の弁９−３の移動による止水位置を示す。  図６３は図５６Ｇ−Ｇ線に沿う断面図の説明用図であり、矢印で純水経路を示すが、５管になる水管の位置は図６６及び図６７に示した位置であるが、水管を並列に示し、一部矢印を示す為に粗太にした説明用具象図である。  図６３の下部には浄水器２５、純水器３１、及びホース等水管２３を示してある。【００４１】  第３実施例は、第２実施例において図４２及至図５１を参照して説明した位置と同一であり、湯水混合吐水は図４２、常温水吐水は図４３、浄水吐水は図４４、湯水吐水は図４５、湯水逆洗水吐水は図４６、に加えて、純水吐水図６１を可能とした水栓であり、第２実施例の弁９−２に連通路３０−６を、弁座１０−２に２つの孔を増設した弁９−３と弁座１０−３を用いた水栓である。  図６３の下部において、浄水器２５と純水器３１と分離して示してあるが、逆浸透膜を使用した純水器３１内にも浄水器２５は用いられているが、その純水器３１内の浄水器２５より浄水を出水させ又浄水器２５を逆洗する手段を図６４に示す。【００４２】  図６４は浄水位置での水の流経を矢印で示した図であり、純水器３１と連通した浄水器２５よりの浄水採水時である。  図６５は純水器３１内の浄水器２５の逆洗位置での水の流経を矢印で示した図である。  図６４および図６５の下部は純水器３１の内部を単純に示した図である。【００４３】  図６４では常温給水分岐栓よりの分岐栓２７にさらに分岐管２７−１を取付け常温水は水栓本体１３内の常温水管Ｃと浄水器ＩＮ側分岐管Ｘにより常時連通している。  浄水器ＯＵＴ側にも分岐管Ｚが付加され、水栓本体１３内の弁箱７の弁座９−３に連通する水管Ｏと逆浸透膜器（以下ＲＯと称す）３１Ｂの入口３０に連通しており、ＲＯは水栓の開閉には関与されることなく純水を製造する。  純水製造中はＲＯ３１Ｂの出水側３３より純水を貯水圧力タンクへ出水し、３２より廃棄水を出水し水管２３にて排水される。  図６４はハンドルツマミ１−１を浄水位置にした時の水の流れを矢印にて示す。  図６５にはハンドル１の逆洗位置での水の流れを示すが、この時浄水器ＯＵＴ側に設置された逆流探知センサーＳＥは、電脳部ＩＣに逆流を通知し、電脳は即時電磁弁Ｂ１および電磁弁Ｂ２を閉口し、給水栓２７よりの常温水の浄水器ＩＮへの供給を断水し、浄水器ＯＵＴ側よりのＲＯ３１Ｂへの流通を断水する。【００４４】  図６６は弁箱７内に収納される複数の部品と弁箱底蓋１１より凸出した各水管へ接続される接続孔には符合ＳＫのオーリング溝が示され、Ｏリングが挿入されて管上部弁箱底蓋固定座１２と密着される。  第１および第２実施例に示した如く吐水管１３−１に連通する吐水流通部３６−１は、弁箱外蓋１１の５つの孔管壁３８と本体１３および管上部弁箱底蓋固定座１２とにより構成される。  図６７は弁箱外蓋１１の底面図、図６８は、弁箱７に収納される各部品と管上部弁箱底蓋固定座１２を下部にして組み合わせた正面図であり、図示しない本体１３との間をシールするシール材Ｓにより漏水なく、吐水流通部３６−１の水は吐水管１３−１より吐水口２１に至り吐水される。〔実施例４〕【００４５】  第４の実施例を図６９及至図１０４を用いて、水栓１３に別水栓部１３ａを合体させ、純水器３１の純水製造時に廃棄される廃棄水排水口Ｖ３を増設した水栓を説明する。  図６９は正面図、図７０は右側面図、図７１は図６９および図７０に示したレバー部Ｌとレバーツマミ部Ｌ１の回転した位置を示す図、図７２は平面図、図７３および図７４は図７２におけるＨ−Ｈ線に沿う断面図であり、図７０および図７２に示す吐水管１３−１を仮置した図、図７５は１３ａ内の弁箱７に収納される弁座１０−４の平面図、図７６は１３ａ内の弁箱７に収納される弁９−４の図１００におけるＤ−Ｄ線に沿う断面図、図７７は、前述した弁座１０−４の上に弁９−４を組み合わせた時の図でレバーのツマミＬ１は具象的に示した浄水位置での図、図７８は逆洗位置、図７９は純水吐水位置での図、図８０は浄水位置での、図８１は逆洗位置での、図８２は純水吐水位置での、弁９−４の移動により止水する位置を示した図。  図８３は水栓本体１３の上部弁箱７に収納される弁座１０−５の図、図８４は弁９−５の図である。  図８５は図８３における弁座１０−５の上に図８４における弁９−５を組み合わせた平面図であり、ハンドルツマミ１−１は中央に有り、湯水混合位置、図８６は図８５におけるハンドルツマミ１−１を右に回動した時の弁９−５の位置で常温水吐水位置、図８７は、図８５におけるハンドルツマミ１−１を左に回動させた時の弁９−５の位置で湯水吐水位置を示し、図８８は図８５、図８９は図��６、図９０は図８７の各位置においてハンドルツマミ１−１を下に下げての止水位置の図である。  図９１は水栓本体１３ａ内に収納される弁箱７内の各部品の立体図、図９２は弁箱底蓋１１の底面図、図９３は図９１に示す部と管上部弁箱底蓋固定座１２および複数の水管３９の正面図、図９４は水栓本体１３の上部の弁箱７に収納される各部品の立体図、図９５は図９４に示される弁箱底蓋１１の底面図、図９６は図９４に示す各部品と管上部箱底蓋固定座１２と水管の正面図、図９７は図７４の点線内を拡大して示した図であり、図９８及至図１００は連通路３０−６を示す図であり、図９９におけるＫ−Ｋ線に沿う断面図は図１００であり、連通路３０−６は連通室３０と同じ水の流通をなすものである。【００４６】  この第４実施例においては、本体１３上部の図９で示した如きハンドルツマミ１−１の操作により、湯水混合水、常温水、湯水の３種類の水を図８５及至図９０に示す如く吐水および止水し、本体１３ａ側のレバーツマミＬ１の操作により、浄水、純水、逆洗水の３種類を操作し且つ、純水製造中の廃棄水の排水をするものである。  図９５で示す本体１３の上部弁箱７内の弁座孔Ｃは常温水給水栓２７に連通し、弁座孔ｈは湯水給水栓２８に連通する水管Ｈと連通する。  本体１３と合体している本体１３ａ内の弁箱７内の弁座孔ｒは、純水器３１の分岐管３４に連通する水管Ｒを連通し、弁座孔ｍは純水出水管Ｍと連通する。  本体１３ａ内の弁座孔ｉは浄水器ＩＮ側へ連通する水管と、弁座孔ｏは浄水器ＯＵＴ側に連通する水管Ｏと連通し、弁座孔ｐは浄水出水管Ｐと連通し、弁座孔ｄ３は排水管Ｄと連通する。  排水管Ｄは本体１３の上部弁箱底蓋１１の吐水流通部３６−１へ連通する。  図１００は図７４においての点線内の拡大図であり、水管を平列に示した図であるが、Ｐ、Ｍ、Ｉ等８個の管の位置は図９２の位置および図７５の位置で、弁箱底蓋１１に至り、上部に有るＨ、Ｄ、Ｃ水管の位置は図８３の位置で上部に至る水管である。  図１００上の符号Ａ個所は水管の曲げ個所であるがＲ角を省略し直角で示し、なお符号Ｙ個所は管の分岐個所であるが、溶接材等は省略してある。【００４７】  図７４を参照して、ＲＯ３１Ｂよりの廃棄水を出水するＶ管について説明する。  純水を製造する時には純水は３０％〜４０％で６０％から７０％は廃棄水として排水されるが、シンクの下に純水器３１を設置した場合にはシンクの下の排水口へ直接排水するか、又はシンクの下の扉を開けてこの廃棄水をホース等水管２３で水桶又はバケツに貯水して雑用水としているが、本実施例では水栓の排水口Ｖ３よりホース等水管２３を用いて水桶に貯水して使用することも出来る。  尚、この時に吐水管Ｖを吐水管Ｍ様の管にして流し台に排水させることも可能である。  図１０１にはさらに純水圧力タンク２９についても同様にシンクの下に設置不可能故に、シンクの下の扉から純水器３１Ｂの出水口３３よりの純水をホース等水管２３を通水して貯水タンクに貯水するのが一般的であるが、この純水をいったん水管ｕにて水栓内に受水し、再び水栓１３の水管Ｕ１より貯水タンク２９へ出水し、再びその純水を水栓本体１３の純水受入管にて受入して採水することの出来ることを示す。  水栓１３ａのレバーＬ１の操作および図７５の弁座１０−４、図７６の弁９−４は同一であり、水の流れを矢印にて示す。  図１０２は図１０１の点線内拡大図である。【００４８】  図１０３は図上純水器３１および圧力タンク２９は、下面に示してあるが、純水器３１を台所に据置するかもしくは壁掛け用に一例を示す。図上の矢印は純水製造中、圧力タンクへ貯水中での水の流れを示す。  これは、ホースをシンクの扉を開いてホース等水管をとり出すことなく純水を製造する一例であるが、水栓本体１３のハンドル１−３および水栓１３ａのレバーＬ１の操作は実施例４と同一操作であり、弁９−４、弁１０−４も実施例４と同一の弁及び弁座であり、湯水逆洗を可能とする。  この逆洗を図１０４、図１０５において水の経路を矢印にて示す。〔産業上の利用可能性〕【００４９】  浄水器や純水器のフィルター目詰まりにより、頻繁にフィルターの交換を余儀なくされている現状の水処理器を長期間フィルター交換なしで、浄水や純水を多量に得ることが出来ることは消費者に要望されている現状を以って想起すれば、手軽で簡単な操作で逆洗することの出来るこの逆洗装置の利用可能性は高いものである。
【図面の簡単な説明】
【００５０】
【図１】実施例１に係わる水栓の正面図。
【図２】実施例１に係わる水栓の右側面図。
【図３】実施例１に係わる水栓の平面図。
【図４】実施例１に係わる水栓の底面図。
【図５】水栓内弁箱の正面図。
【図６】図５Ａ−Ａ線に沿う断面図。
【図７】図５内収納部の展開立体図。
【図８】図３Ｂ−Ｂ線に沿う断面図。
【図９】ハンドルの回動を示すハンドルの平面図。
【図１０】ハンドルの上下操作を示す側面図。
【図１１】ハンドルの立体図。
【図１２】弁及び弁座の平面図。
【図１３】弁及び弁座の平面図。
【図１４】図１３Ｃ−Ｃ線に沿う断面図。
【図１５】弁座の平面図。
【図１６】図１２Ａ−Ａ線に沿う断面図。
【図１７】弁と弁座とハンドルを示す図。
【図１８】弁と弁座とハンドルを示す図。
【図１９】弁と弁座とハンドルを示す図。
【図２０】半円蓋と外ネジナットを示す立体図。
【図２１】図３Ｂ−Ｂ線に沿う断面図。
【図２２】図３Ｂ−Ｂ線に沿う断面図。
【図２３】弁と弁座とハンドルを示す図。
【図２４】弁と弁座とハンドルを示す図。
【図２５】弁と弁座とハンドルを示す図。
【図２６】管上部弁箱底蓋固定座の正面図。
【図２７】管上部弁箱底蓋固定座の立体図。
【図２８】弁箱内収納部品の立体図。
【図２９】図２８部品の底面図。
【図３０】図２８の部品と管上部弁箱底蓋固定座との正面図。
【図３１】実施例２に係わる水栓の正面図。
【図３２】実施例２に係わる水栓の平面図。
【図３３】実施例２に係わる水栓の右側面図。
【図３４】実施例２に係わる水栓の底面図。
【図３５】図３２Ｆ−Ｆ線に沿う断面図。
【図３６】図３２Ｆ−Ｆ線に沿う断面図。
【図３７】図３２Ｆ−Ｆ線に沿う断面図。
【図３８】図３２Ｆ−Ｆ線に沿う断面図。
【図３９】図３２Ｆ−Ｆ線に沿う断面図。
【図４０】弁座の平面図。
【図４１】図１２Ａ−Ａ線に沿う断面図。
【図４２】弁および弁座とハンドルの平面図。
【図４３】弁および弁座とハンドルの平面図。
【図４４】弁および弁座とハンドルの平面図。
【図４５】弁および弁座とハンドルの平面図。
【図４６】弁および弁座とハンドルの平面図。
【図４７】弁および弁座とハンドルの平面図。
【図４８】弁および弁座とハンドルの平面図。
【図４９】弁および弁座とハンドルの平面図。
【図５０】弁および弁座とハンドルの平面図。
【図５１】弁および弁座とハンドルの平面図。
【図５２】弁箱内収納品の立体図。
【図５３】図５２の底面図。
【図５４】図５２と管上部弁箱底蓋固定座との正面図。
【図５５】実施例３に係る水栓の正面図。
【図５６】実施例３に係る水栓の平面図。
【図５７】実施例３に係る水栓の右側面図。
【図５８】実施例３に係る水栓の底面図。
【図５９】弁座の平面図。
【図６０】図１２Ａ−Ａ線に沿う断面図。
【図６１】弁および弁座とハンドルの平面図。
【図６２】弁および弁座とハンドルの平面図。
【図６３】図５６Ｇ−Ｇ線に沿う断面図。
【図６４】図５６Ｇ−Ｇ線に沿う断面図。
【図６５】図５６Ｇ−Ｇ線に沿う断面図。
【図６６】弁箱内収納部品の立体図。
【図６７】図６６の底面図。
【図６８】図６６と管上部弁箱底蓋固定座の正面図。
【図６９】実施例４に係る水栓の正面図。
【図７０】実施例４に係る水栓の側面図。
【図７１】レバーの回動を示す側面図。
【図７２】実施例４に係る水栓の平面図。
【図７３】図７２Ｈ−Ｈ線に沿う断面図。
【図７４】図７２Ｈ−Ｈ線に沿う断面図。
【図７５】弁座の平面図。
【図７６】図１２Ａ−Ａ線に沿う断面図。
【図７７】弁および弁座とレバーの平面図。
【図７８】弁および弁座とレバーの平面図。
【図７９】弁および弁座とレバーの平面図。
【図８０】弁および弁座とレバーの平面図。
【図８１】弁および弁座とレバーの平面図。
【図８２】弁および弁座とレバーの平面図。
【図８３】弁座の平面図。
【図８４】図９８Ａ−Ａ線に沿う断面図。
【図８５】弁および弁座とハンドルの平面図。
【図８６】弁および弁座とハンドルの平面図。
【図８７】弁および弁座とハンドルの平面図。
【図８８】弁および弁座とハンドルの平面図。
【図８９】弁および弁座とハンドルの平面図。
【図９０】弁および弁座とハンドルの平面図。
【図９１】弁箱内収納部品の立体図。
【図９２】図９１の底面図。
【図９３】図９１と管上部弁箱底蓋固定座との正面図。
【図９４】弁箱内収納部品の立体図。
【図９５】図９４の底面図。
【図９６】図９４と管上部弁箱底蓋固定座の正面図。
【図９７】図７４内の点線内拡大図。
【図９８】弁と弁座の正面図。
【図９９】弁と弁座の平面図。
【図１００】図９９Ｄ−Ｄ線に沿う断面図。
【図１０１】水栓の一例を説明する水栓の断面図。
【図１０２】図１０１点線内拡大図。
【図１０３】純水器をシンクの上に据置した時用の水栓断面図。
【図１０４】逆洗を説明する断面図。
【図１０５】図１０４の点線内拡大図。
【符号の説明】
【００５１】１  ハンドル１−１  ハンドルツマミ１−２  ハンドルツマミ１−３  テコ嵌合部３  半円蓋４  テコ軸棒５  外ネジナット６  テコ納め７  弁箱８  テコ弁ジョイント９  弁９−２  弁９−３  弁９−４  弁９−５  弁１０  弁座１０−２  弁座１０−３  弁座１０−４  弁座１０−５  弁座１１  弁箱底蓋１１−２  弁箱底蓋１２  管上部弁箱底蓋固定座１３  水栓本体１３ａ  別水栓部１３−１  吐水管１３−２  固定凸部１４  本体座１５  流し台（ステンレス）１６  止めゴム１７  ワッシャー１８  固定金具１９  固定ナット２０  外ネジ棒２１  吐水口２２  テコ２３  ホース等水管２４  ＲＯ廃棄水出水口２５  浄水器２７  常温給水分岐栓２７−１  分岐管２８  湯水給水栓２９  純水圧力タンク３０  連通室３０−１  連通室３０−２  連通室３０−３  連通室３０−４  連通室３０−５  連通室３０−６  連通路３１  純水器３１Ｂ  ＲＯ３２  ＲＯ廃棄水出水口３３  ＲＯ出水口３４  弁箱頭部３５  テコ下部３６  弁箱底蓋固定足３６−１  吐水流通部３８  孔管壁３９  水管４０  管固定座ＩＮ  浄水器の入水口ＯＵＴ  浄水器の出水口Ｃ  給水管に連通する水管Ｈ  湯水管に連通する水管ｉ  弁座孔ｃ  弁座孔ｏ  弁座孔ｄ  弁座孔ｄ−２  弁座孔Ｄ  吐水口に連通する水路。Ｄ−１  吐水口に連通する水路に連通する水管。ｈ  弁座孔Ｐ  浄水出水管Ｐｗ  浄水吐水位置ｒ  弁座孔の純水受入孔ｍ  弁座孔の純水出水孔ＳＥ  センサーＢ１  電磁弁Ｂ２  電磁弁Ｓ  オーリング等シール材Ｓｋ  Ｏリング溝ＳｋＯ  Ｏリング溝Ｒ  純水給水管Ｙ  管分岐個所Ｍ  純水出水管Ｘ  浄水器ＩＮ側分岐管Ｚ  浄水器ＯＵＴ側分岐管Ａ  水管曲部Ｒ１  純水給水管Ｕ  純水受入管Ｕ１  純水出水口Ｍ２  純水吐水管Ｍ３  純水吐水口ＩＣ  電脳部
【図１】
2006233739.tif 000003
【図２】
2006233739.tif 000004
【図３】
2006233739.tif 000005
【図４】
2006233739.tif 000006
【図５】
2006233739.tif 000007
【図６】
2006233739.tif 000008
【図７】
2006233739.tif 000009
【図８】
2006233739.tif 000010
【図９】
2006233739.tif 000011
【図１０】
2006233739.tif 000012
【図１１】
2006233739.tif 000013
【図１２】
2006233739.tif 000014
【図１３】
2006233739.tif 000015
【図１４】
2006233739.tif 000016
【図１５】
2006233739.tif 000017
【図１６】
2006233739.tif 000018
【図１７】
2006233739.tif 000019
【図１８】
2006233739.tif 000020
【図１９】
2006233739.tif 000021
【図２０】
2006233739.tif 000022
【図２１】
2006233739.tif 000023
【図２２】
2006233739.tif 000024
【図２３】
2006233739.tif 000025
【図２４】
2006233739.tif 000026
【図２５】
2006233739.tif 000027
【図２６】
2006233739.tif 000028
【図２７】
2006233739.tif 000029
【図２８】
2006233739.tif 000030
【図２９】
2006233739.tif 000031
【図３０】
2006233739.tif 000032
【図３１】
2006233739.tif 000033
【図３２】
2006233739.tif 000034
【図３３】
2006233739.tif 000035
【図３４】
2006233739.tif 000036
【図３５】
2006233739.tif 000037
【図３６】
2006233739.tif 000038
【図３７】
2006233739.tif 000039
【図３８】
2006233739.tif 000040
【図３９】
2006233739.tif 000041
【図４０】
2006233739.tif 000042
【図４１】
2006233739.tif 000043
【図４２】
2006233739.tif 000044
【図４３】
2006233739.tif 000045
【図４４】
2006233739.tif 000046
【図４５】
2006233739.tif 000047
【図４６】
2006233739.tif 000048
【図４７】
2006233739.tif 000049
【図４８】
2006233739.tif 000050
【図４９】
2006233739.tif 000051
【図５０】
2006233739.tif 000052
【図５１】
2006233739.tif 000053
【図５２】
2006233739.tif 000054
【図５３】
2006233739.tif 000055
【図５４】
2006233739.tif 000056
【図５５】
2006233739.tif 000057
【図５６】
2006233739.tif 000058
【図５７】
2006233739.tif 000059
【図５８】
2006233739.tif 000060
【図５９】
2006233739.tif 000061
【図６０】
2006233739.tif 000062
【図６１】
2006233739.tif 000063
【図６２】
2006233739.tif 000064
【図６３】
2006233739.tif 000065
【図６４】
2006233739.tif 000066
【図６５】
2006233739.tif 000067
【図６６】
2006233739.tif 000068
【図６７】
2006233739.tif 000069
【図６８】
2006233739.tif 000070
【図６９】
2006233739.tif 000071
【図７０】
2006233739.tif 000072
【図７１】
2006233739.tif 000073
【図７２】
2006233739.tif 000074
【図７３】
2006233739.tif 000075
【図７４】
2006233739.tif 000076
【図７５】
2006233739.tif 000077
【図７６】
2006233739.tif 000078
【図７７】
2006233739.tif 000079
【図７８】
2006233739.tif 000080
【図７９】
2006233739.tif 000081
【図８０】
2006233739.tif 000082
【図８１】
2006233739.tif 000083
【図８２】
2006233739.tif 000084
【図８３】
2006233739.tif 000085
【図８４】
2006233739.tif 000086
【図８５】
2006233739.tif 000087
【図８６】
2006233739.tif 000088
【図８７】
2006233739.tif 000089
【図８８】
2006233739.tif 000090
【図８９】
2006233739.tif 000091
【図９０】
2006233739.tif 000092
【図９１】
2006233739.tif 000093
【図９２】
2006233739.tif 000094
【図９３】
2006233739.tif 000095
【図９４】
2006233739.tif 000096
【図９５】
2006233739.tif 000097
【図９６】
2006233739.tif 000098
【図９７】
2006233739.tif 000099
【図９８】
2006233739.tif 000100
【図９９】
2006233739.tif 000101
【図１００】
2006233739.tif 000102
【図１０１】
2006233739.tif 000103
【図１０２】
2006233739.tif 000104
【図１０３】
2006233739.tif 000105
【図１０４】
2006233739.tif 000106
【図１０５】
2006233739.tif 000107